(57)【特許請求の範囲】
【請求項１】
脱穀物を受けて揺動移送しながら選別する揺動選別棚（１）は、チャフシ−ブ（２）の下側にこのチャフシ−ブ（２）から漏下される選別物を受けて揺動しながら穀粒を選別するグレンシ−ブ（３）を有し、この揺動選別棚（１）の下側には、唐箕（４）から吹き出される選別風を該グレンシ−ブ（３）下側の主選別風路（５）へ案内する主送風口（６）と、該チャフシ−ブ（２）下側の副選別風路（７）へ案内する副送風口（８）とを設け、これら主送風口（６）から副送風口（８）に亘って少なくとも２個の風割（９），（１０）を設け、前記副選別風路（７）は、唐箕（４）側の入口部が広く、選別風送り方向下手側の出口部が狭くなるように構成し、さらに、前記風割（９）と風割（１０）の間には風導板（４４）を設け、チャフシ−ブ（２）の傾斜板（３５）の間隔を標準開度から開いて能率を上げるときには前記風導板（４４）の上向角度を大きくして前記主選別風路（５）の選別風の向きを変更し、前記グレンシ−ブ（３）の前部へ吹き当てる風力を大きくするように構成したことを特徴とする脱穀揺動選別装置。
【発明の詳細な説明】
【０００１】
【発明の属する技術分野】
この発明は、脱穀揺動選別装置に関し、コンバインの脱穀装置として利用しうる。
【０００２】
【従来の技術】
コンバインの揺動選別棚は、脱穀室の下側において、脱穀物を受けて揺動移送しながら穀粒の選別を行う。
【０００３】
【発明が解決しようとする課題】
この揺動選別を行うチャフシ−ブにあっては、前部において多量の脱穀物を受けるために選別が行われ難く、脱穀物の停滞を生じ易く、効率的な選別を維持し難い。
【０００４】
【課題を解決するための手段】
この発明は、脱穀物を受けて揺動移送しながら選別する揺動選別棚１は、チャフシ−ブ２の下側にこのチャフシ−ブ２から漏下される選別物を受けて揺動しながら穀粒を選別するグレンシ−ブ３を有し、この揺動選別棚１の下側には、唐箕４から吹き出される選別風を該グレンシ−ブ３下側の主選別風路５へ案内する主送風口６と、該チャフシ−ブ２下側の副選別風路７へ案内する副送風口８とを設け、これら主送風口６から副送風口８に亘って少なくとも２個の風割９，１０を設け、前記副選別風路７は、唐箕４側の入口部が広く、選別風送り方向下手側の出口部が狭くなるように構成し、さらに、前記風割９と風割１０の間には風導板４４を設け、チャフシ−ブ２の傾斜板３５の間隔を標準開度から開いて能率を上げるときには前記風導板４４の上向角度を大きくして前記主選別風路５の選別風の向きを変更し、前記グレンシ−ブ３の前部へ吹き当てる風力を大きくするように構成したことを特徴とする脱穀揺動選別装置の構成とする。
【０００５】
脱穀室から漏下される脱穀物は、揺動選別棚１で受けられて揺動移送されながら、チャフシ−ブ２及びグレンシ−ブ３等で穀粒が漏下選別される。唐箕４から主送風口６及び副送風口８を経て吹き出される選別風は、主選別風路５、副選別風路７等を揺動選別棚１から漏下される穀粒を風選する。副選別風路７の選別風は、チャフシ−ブ２前端部を吹き上げて、このチャフシ−ブ２上面の脱穀物を浮上させながら風選する。また、チャフシ−ブ２の傾斜板３５の間隔を標準開度から開く方向にすると、風割９と風割１０の間に設けている風導板４４の上向角度が大きくなる。そして、主選別風路５の選別風の向きが変更されてグレンシ−ブ３の前部へ吹き当たる風力が大きくなる。即ち、グレンシーブ３の前部以外の部分に吹き当たる風力は弱くなる。
【０００６】
【発明の効果】
このように副送風口８から吹き出される副選別風路７の選別風によって、チャフシ−ブ２の前部上を揺動移送される脱穀物を集中的に噴風して浮上し揺動選別効果を高めることができる。さらに、副選別風路７は、唐箕４側の入口部が広く、選別風送り方向下手側の出口部が狭くなるように構成したので、チャフシーブ２の前方に存在する藁屑は、チャフシーブ２の後部へ吹き飛ばされ易くなり、穀粒の漏下が行われ易くなり、揺動移送選別作用が速やかに円滑に行われるようになる。また、チャフシ−ブ２の傾斜板３５の間隔を標準開度から開いて能率を上げるときには風導板４４の上向角度を大きくして主選別風路５の選別風の向きを変更し、グレンシ−ブ３の前部へ吹き当てる風力を大きくするように構成していることで、グレンシーブ３の前部以外の部分に吹き当たる風力は弱くなる。従って、脱穀物が多くなるとグレンシ−ブ３上における穀粒の漏下選別を促進させることができるようになり、速やかな選別が可能となる。
【０００７】
【実施例】
コンバインの脱穀装置１５は、扱胴１６を前後方向の扱胴軸１７によって脱穀室１８に軸装し、この脱穀室１８の一側に沿う穀稈移送口に穀稈を挾持して移送するフィ−ドチェン１９を設け、車体前方の刈取装置２０で刈取られて搬送装置２１で搬送される穀稈の供給を受けて脱穀する。２２は前側の供給口、２３は後側の排稈口、２４は脱穀室１８の下側に沿って張設する脱穀網である。
【０００８】
脱穀室１８の後側には排稈室２５と排塵室２６とが形成され、この排稈室２５には前記フィ−ドチェン１９によって搬送される脱穀滑排稈を受けて後方機外へ排出する排稈装置２７を設け、排塵室２６には吸引排塵機２８を設けている。
揺動選別棚１は、このような脱穀室１８から排塵室２６に亘る間の下方に設けられて、脱穀機枠に対して揺動駆動されるように支架されている。又、この揺動選別棚１の下側に唐箕４及び主・副選別風路５，７、更には一番受樋１４や二番受樋２９等を配置する。
【０００９】
３０は操縦台、３１は操縦席、３２は脱穀装置１５で脱穀された穀粒を取出収容するグレンタンク、３３は排稈を細断する排稈カッタ−である。Ｅはエンジンである。
前記揺動選別棚１は、脱穀網２４の下側に送り突子を形成した移送板３４を配置し、この移送板３４の終端から後方に亘って傾斜板３５を一定間隔にしてよろい板状に配置したチャフシ−ブ２を設け、該移送板３４上から移送される脱穀物や排稈口２３から排出されるわら屑等を受けて揺動移送しながら主として穀粒を漏下選別する。このチャフシ−ブ２の終端部には排塵室２６の下側においてわら屑を揺動移送しながら後方へ排出するストロ−ラック３６を配置する。３はグレンシ−ブで、前記チャフシ−ブ２から漏下される選別物を受けて穀粒を漏下選別するものである。
【００１０】
唐箕４は移送板３４の下部に設けられて、後側の主選別風路５へ向けて主送風口６を開口し、又、副選別風路７へ向けて副送風口８を開口し、ファン３７の回転によってこれらの送風口６，８から圧風を吹き出し、主選別風路５や副選別風路７から揺動選別棚１の選別間隙部等を経て、前記吸引排塵機２８による吸引風として流すものである。
【００１１】
主送風口６と副送風口８との間には風割９を設け、この風割９の後端面１１は後下りの傾斜面として、上板３８は若干後方へ突出するように延長し、下板３９はこの上板３８よりも後方へ延長させ、前記グレンシ−ブ３前端部の案内板１３をこの後端面１１の後側に対向させる。この案内板１３は該上板３８の後方延長面よりも適宜間隔下位にあって、揺動選別棚１が前後に揺動しても、これら上板３８の上端部や後端面１１に接触しないように構成している。
【００１２】
この上板３８とこの上側に対向する案内板４０との間に副送風口８が形成され、これら上板３８と案内板４０との間隔は、唐箕４側が広く、副選別風路７側が狭くなるように順次絞られて、送風が速くなるように形成されている。副選別風路７は、揺動選別棚１と一体の前記案内板１３と移送板３４の終端部下面に設けられる案内板４１との間に、順次狭くなるように絞って形成されて、これらによって案内される選別風が移送板３４の先端部とこの後側に対向するチャフシ−ブ２の前端部の傾斜板３５との間の間隔部４２を通して揺動選別棚１上方へ吹き抜けるように構成している。又、この傾斜板３５の下端縁と案内板１３の上端縁との間には、副選別風路７からグレンシ−ブ３上面に開通する間隔部４３が形成され、該間隔部４３から漏下される選別物をグレンシ−ブ３上へ案内させるように構成している。
【００１３】
このようにして、副送風口８から吹き出される選別風は、風速が高められて副選別風路７を間隔部４２へ案内されるため、この間隔部４２を上方へ吹き上げられる風圧によって移送板３４上をこの間隔部４２上へ送り出される脱穀物がここで浮上されて、わら屑等がチャフシ−ブ２の後部へ吹き飛ばされ易くなり、穀粒の漏下が行われ易く、揺動移送選別作用が速やかに円滑に行われる。
【００１４】
主送風口６には風割１０及び風導板４４を形成し、この風導板４４の前端は、この上側の風割９の前端４５や下側の風割１０の前端４６よりも後位置にあって、この風割９の下板３９による唐箕４側からの風受面積を広くして、風割９と導風板４４との間の送風力が大きくなるように構成して、主選別風路５におけるグレンシ−ブ３に沿う風当りを良くするように構成している。風導板４４の後端部も上風割９の後端面１１の下端縁よりも前位に設定して、後端面１２上に流下する穀粒の邪魔をしない構成としている。
【００１５】
又、これら各段の風割９，１０の後端面１１，１２は、共に後下りの傾斜として、階段状に形成され、最下段の後端面１２は一番受樋１４上にのぞませている。
図４において、上例と異なる点は、前記風導板４４の先端部５１を軸５０の回りに上下回動可能にして、この先端部５１を回動調節して風向乃至風力分布を調整する。風導板４４は複数段に設け、グレンシ−ブ３の前部に対する風力を強くするときは先端部５１を上方へ回動し（Ａ）、一番受樋１４乃至一番受板５２上への風力を強くするときは先端部５１を下方へ回動し（Ｂ）、又、これら上下方向の風力を適宜に高めたいときは上下導風板４４の先端部５１を各対向する側へ回動して（Ｃ）、脱穀選別状態に応じた風向調節を行うことができる。
【００１６】
図５において、上例と異なる点は、前記チャフシ−ブ２の傾斜板３５の傾斜角度の変更と、主送風口６後端の風導板４４の上下角度変更とを、ワイヤ−４７等で連動して、チャフシ−ブ２の傾斜板３５の間隔を標準開度から開いて能率を上げるときには、風導板４４の上向角度を大きくして、主選別風路５をグレンシ−ブ３の前部へ吹き当てる風力を大きくして、このグレンシ−ブ３上における穀粒の漏下選別を促進させる。
【００１７】
前記チャフシ−ブ２の傾斜板３５は、前部のみ傾斜角度を変更できる構成とするもよい。４８は各傾斜板３５の傾斜角度を変更するア−ム、４９は戻しばねである。各傾斜板３５は揺動選別棚１の側枠部に枢支されて、この傾斜角が急になるほど前後間隔が広くなり、脱穀選別物の漏下も行われ易くなる。
【００１８】
又、前記風導板４４は、後端部のみ軸５０回りに回動するが、全長を単一板として上下回動することによって後端側が上下に移動するように構成するもよい。
又、わら屑や小枝梗等が多いときの脱穀では、前記とは逆に傾斜板３５の角度を標準位置から緩くして穀粒を漏下し難くし、風導板４４の下向き角度を大きくして、主選別風路５の下部に吹く風力を強くする。
【図面の簡単な説明】
【図１】  一部の拡大側面図
【図２】  側面図
【図３】  平面図
【図４】  一部別実施例を示す側面図と、その一部の作用図
【図５】  一部別実施例を示す側面図
【符号の説明】
１…揺動選別棚、２…チャフシ−ブ、３…グレンシ−ブ、４…唐箕、５…主選別風路、６…主送風口、７…副選別風路、８…副送風口、９…風割、１０…風割、３５…傾斜板、４４…風導板。
【図１】
0003661615.tif 000002
【図２】
0003661615.tif 000003
【図３】
0003661615.tif 000004
【図４】
0003661615.tif 000005
【図５】
0003661615.tif 000006